(57)【特許請求の範囲】
【請求項１】
絶縁性樹脂のケース内に固定接点及び可動接点を有し、このケースから端子が延び出ており、自動給送用テープ上に一定ピッチで上記端子が貼り付けられるプッシュスイッチにおいて、ケースの一側面に設けられ上記可動接点を動かす押しボタンと、上記押しボタンが突出した側の上記ケース面とこの面に隣接する２側面をコの字型に覆う一枚の金属板のカバーと、上記自動給送用テープ面と平行な上記ケースの一面の外側に、上記カバーと一体に折り曲げられた折曲片が設けられ、上記カバーの両端部には固定用端子が形成され、上記ケースの両側面に位置した上記カバーの端部に上記折曲片が設けられ、この折曲片の一側縁部は上記カバーの両端部と連続して、上記カバーの一側縁部と上記折曲片の一側縁部とがほぼ同一平面上に位置し、この折曲片は上記ケースの外側で互いに対向する側であってその延長線が交差するように所定角度に折り曲げられていることを特徴とするプッシュスイッチ。
【発明の詳細な説明】
【０００１】
【発明の属する技術分野】
この発明は、電子機器の押しボタン等の接点に用いられるプッシュスイッチに関する。
【０００２】
【従来の技術】
一般に、電子機器の各接点に用いられるプッシュスイッチは、自動装着装置により順次回路基板に装着されるように、自動給送用テープ上に一定のピッチで貼り付けられている。このようなプッシュスイッチのうち、端子の突出方向に対して略直角に押しボタンが突出したいわゆる縦型のプッシュスイッチ１は、図５に示すようにプラスチック製のケース２内に固定接点と可動接点を有し、ケース２の一側面には可動接点に当接する押しボタン３が突出して設けられている。
【０００３】
そして、ケース２の押しボタン３が突出した面及びその両側の２側面を取り囲むようにコの字型の金属板のカバー４が取り付けられ、カバー４の両端部には固定用端子が下方に延出して形成されている。この固定用端子の位置は、押しボタン３を押圧する際に、プッシュスイッチ１が、装着された回路基板に対して後傾しないように、押しボタン３と一定の距離をおいて形成され、このためカバー４も押しボタン３の吐出方向とは反対方向に一定以上の長さが必要である。
【０００４】
【発明が解決しようとする課題】
ここで、ケース２の厚さよりカバー４が長く突出して形成されると、自動給送用テープに取り付けて包装する際に、自動給送用テープをＺ字状につづら折りにするときに、プッシュスイッチ同士でカバー４の突出部分や固定用端子が絡まり、端子が変形したり自動装着の支障となることがあった。
【０００５】
そこで、この問題を解決するため、カバー４がケース２から突出しないように形成されたプッシュスイッチとして、実開平３−７１５２０号公報に開示されているように、カバー４の両端部とケース２の背面が面一となるように、ケース２の底面側にケース２と一体に樹脂による突出部５を設けたものがあった。しかし、上記従来の技術の場合、不必要な範囲にまでプラスチック製のケース２を突出させて突起５を形成するため、余分な樹脂材料を使用するためコストアップにつながるものであった。
【０００６】
この発明は、上記従来の技術の問題点に鑑みてなされたもので、自動装着の際に互いに引っ掛かることがなく円滑に確実におこなわれ、しかも製造が容易でコストも安価なプッシュスイッチを提供することを目的とする。
【０００７】
【課題を解決するための手段】
この発明は、絶縁性樹脂のケース内に固定接点及び可動接点を有し、このケースからリード端子が延び出ており、自動給送用テープ上に粘着テープ等によって一定ピッチで上記リード端子が貼り付けられるプッシュスイッチであって、上記ケースの一側面に上記可動接点に接する押しボタンが設けられ、上記押しボタンを有する面とこの面に隣接する２側面をコの字型に覆う一枚の金属板のカバーが取り付けられている。このカバーの両端部には、固定用端子が下方に延出して形成され、上記自動給送用テープ面と平行な上記ケースの一面の外側に、上記カバーと一体に折り曲げられた折曲片が設けられている。この折曲片は、上記固定用端子に対向する上記カバーの上端部に一体に設けられている。上記折曲片は、その一側縁部がカバーの両端部の各端面と連続してほぼ同一平面上に位置し、かつ上記ケースの外側で互いに対向する側であってその延長線が交差するように所定角度に折り曲げられている。
【０００８】
この発明のプッシュスイッチは、上記ケースの一側面から突出した上記カバーの両端部に折曲片が設けられ、上記自動給送用テープ面と平行な上記ケースの一面で、上記カバーの両端部の上記ケースから突出した部分の間の凹部が、上記折曲片により埋められているため、上記自動給送用テープに取り付けられて折り曲げられる際に、上記カバーの一部が互いに引っ掛かることがない。
【０００９】
【発明の実施の形態】
以下、この発明の実施の形態について、図面に基づいて説明する。図１〜図４は、この実施の形態のプッシュスイッチ１０を示すもので、絶縁性の樹脂でできた中空のケース１２を有し、内部に固定接点や可動接点等のスイッチ機構を内蔵している。ケース１２の一側面には、押しボタン１４が突出方向に付勢されて設けられ、押しボタン１４はケース１２内で上記可動接点と接している。
【００１０】
また、ケース１２の押しボタン１４が設けられた面の四隅には、ケース１２と一体に形成された溶着突起１６が設けられている。そして、ケース１２の押しボタン１４が設けられた面と、この面に隣接する２側面には、一枚の金属板のカバー１８がコの字型に折り曲げられて取り付けられている。カバー１８は、鉄板にハンダメッキしたもので、カバー１８の中央部には押しボタン１４よりわずかに大きい直径の挿通孔２０が形成され、挿通孔２０の四隅には溶着突起１６が挿通する透孔２２が形成されている。そしてカバー１８は、挿通孔２０に押しボタン１４が嵌合され、透孔２２に溶着突起１６が嵌入されて押しつぶされてケース１２に固定されている。
【００１１】
カバー１８のコ字状に折曲げられた部分の両端部は、図２、図３に示すようにケース１２の厚さよりも長く形成されている。そしてケース１２より突出した部分では、ケース１２の上端面より低い位置に折返し線２４が形成され、折返し線２４には折曲片２６が隣接して設けられている。折曲片２６は、図４に示すように互いに内側に、カバー１８に対して直角以上の所定角度で互いに対向する方向に折り曲げられている。折曲片２６の一側縁部２６ａはカバー１８の側縁部１８ａと連続し同一平面上に位置している。他方の側縁部は折曲片２６に沿って切込線２８が形成され、カバー１８と区分されている。カバー１８の側縁部１８ａには、回路基板の透孔に挿入される固定用端子３０が下方に延出して形成されている。
【００１２】
図１に示すように、ケース１２の底面１２ａからは、図示しないスイッチ機構に接続されている一対のリード端子３２が下方に延出している。リード端子３２は、ケース１２にインサート成型され、電気的性能を確保するために表面に銀メッキが施されたフレーム材が用いられている。そして、リード端子３２の先端付近には、自動給送用テープ３６との取り付け強度を向上させるため、幅広状の取付部材３４が設けられている。
【００１３】
このプッシュスイッチ１０の回路基板への取付方法は、まず図１に示すように押しボタン１４を有する面が自動給送用テープ３６と平行になるようにしかも一定のピッチで粘着テープ３８により自動給送用テープ３６にこのプッシュスイッチ１０を取り付ける。そして、この状態で自動給送用テープ３６はＺ字状につづら折りされ所定の位置に収容される。そしてつづら折り状態の自動給送用テープ３６を自動装着装置に装填し、所定位置に自動給送用テープ３６が送られると、マシンハンドがプッシュスイッチ１０を保持し、カッターがリード端子３２を所定の長さで切断する。そして、マシンハンドにより、プッシュスイッチ１０を回路基板の所定に透孔に装着する。
【００１４】
この実施形態のプッシュスイッチ１０によれば、カバー１８の側縁部１８ａに連続して設けられた折曲片２６が互いに内側に折り曲げられているため、ケース１２より突出したカバー１８による凹部が、折曲片２６により埋められ、プッシュスイッチ１０が取り付けられた自動給送用テープ２６をつづら折にして包装する際にプッシュスイッチ１０同士が引っ掛かることがない。これにより引っ掛かりによる変形を防ぎ、自動装着を円滑に確実に行なうことができる。そして固定用端子３０の位置は押しボタン１４と一定以上の距離を離し、押しボタン１４を押圧する際も確実に端子３０により支持されるものである。さらに、カバー１８の形状は、折曲片２６を有する形状に変更するだけなので部品点数が増えることがなく、また製造方法も折曲片２６を上方から折り曲げるだけの簡単なもので、特別な器具は不要で、機械による自動化も可能である。そして、ケース１２の形成に余分なプラスチック材料を使用することがなく、コストが安価である。
【００１５】
なお、この発明のプッシュスイッチは、上記実施の形態に限定されるものではなく、折返し変の形状は適宜変更可能であり、一方のカバー端部の一方の側から形成しても良く、ケースの一側面と平行な方向に折曲げて、カバー端縁部とケース側面との間の空間を覆うように形成しても良い。さらに、素材や各部材の形状など適宜変更可能である。
【００１６】
【発明の効果】
この発明のプッシュスイッチは、カバーとケースとの間に凹部がないため、自動給送用テープに取り付けられた状態で端子同士が絡まったり引っかかったりすることがなく、円滑で確実に回路基板への自動装着が行なわれるものである。
【図面の簡単な説明】
【図１】この発明の実施形態のプッシュスイッチを自動給送用テープに取り付けた状態の正面図である。
【図２】この実施形態のプッシュスイッチを自動給送用テープに取り付けた状態の左側面図である。
【図３】この実施形態のプッシュスイッチの平面図である。
【図４】この実施形態のプッシュスイッチの背面図である。
【図５】従来の技術のプッシュスイッチの平面図である。
【符号の説明】
１０    プッシュスイッチ
１２    ケース
１４    押しボタン
１８    カバー
２４    折返し線
２６    折曲片
３０    固定用端子
３２    リード端子
３６    自動給送用テープ
【図１】
0003964954.tif 000002
【図２】
0003964954.tif 000003
【図３】
0003964954.tif 000004
【図４】
0003964954.tif 000005
【図５】
0003964954.tif 000006